(57)【要約】      （修正有）【課題】安定した取り回しが可能でありながら、操作性を向上させることを目的とする。【解決手段】本発明は、放射線を検出する放射線検出パネルと、放射線検出パネルを収容する筐体６と、ユーザにより操作可能なスイッチ１０と、を有する放射線撮影装置１００であって、筐体６は、放射線が入射する入射部と、入射部の反対側に位置すると共にユーザに把持される凹状の把持部７が設けられる底部６２と、複数の側部６３とを有し、スイッチは、ユーザが把持部７を把持した状態で、把持した手の指により操作できる範囲に設けられていることを特徴とする。【選択図】図３
2020169922.tif 000002
【特許請求の範囲】
【請求項１】
放射線を検出する放射線検出パネルと、
放射線検出パネルを収容する筐体と、
ユーザにより操作可能なスイッチと、を有する放射線撮影装置であって、
前記筐体は、
放射線が入射する入射部と、前記入射部の反対側に位置すると共にユーザに把持される凹状の把持部が設けられる底部と、複数の側部とを有し、
前記スイッチは、
ユーザが前記把持部を把持した状態で、把持した手の指により操作できる範囲に設けられていることを特徴とする放射線撮影装置。
【請求項２】
前記把持部は、
底面視において、該放射線撮影装置の重心を通り前記複数の側部のうち一つの側部と直交する直線と重なり合う位置に設けられていることを特徴とする請求項１に記載の放射線撮影装置。
【請求項３】
前記スイッチは、
前記底部であって、前記把持部から該放射線撮影装置の重心側に偏った位置に設けられていることを特徴とする請求項２に記載の放射線撮影装置。
【請求項４】
前記スイッチは、
前記把持部の外形線を該放射線撮影装置の重心に向かって移動させた移動軌跡の範囲内に設けられていることを特徴とする請求項３に記載の放射線撮影装置。
【請求項５】
前記スイッチは、
前記底部であって、前記把持部から前記把持部に近接した側部の長手方向に偏った位置に設けられていることを特徴とする請求項２に記載の放射線撮影装置。
【請求項６】
前記スイッチは、
前記把持部の外形線を前記把持部に近接した側部の長手方向に向かって移動させた移動軌跡の範囲内に設けられていることを特徴とする請求項５に記載の放射線撮影装置。
【請求項７】
前記側部は、傾斜部を有し、
前記スイッチは、
前記傾斜部に設けられていることを特徴とする請求項２に記載の放射線撮影装置。
【請求項８】
前記傾斜部は、前記入射部と連続して形成されていることを特徴とする請求項７に記載の放射線撮影装置。
【請求項９】
前記スイッチは、
前記複数の側部のうち対向する側部のそれぞれに設けられていることを特徴とする請求項２に記載の放射線撮影装置。
【請求項１０】
前記スイッチは、
前記側部であって、前記把持部の外形線を該放射線撮影装置の重心の反対側に移動させた移動軌跡の範囲外に設けられていることを特徴とする請求項２または９に記載の放射線撮影装置。
【請求項１１】
前記スイッチは、
前記直線に対して略対称に設けられていることを特徴とする請求項２ないし１０の何れか１項に記載の放射線撮影装置。
【請求項１２】
前記スイッチは、
前記直線と交差するように設けられていることを特徴とする請求項２〜４、７〜１０の何れか１項に記載の放射線撮影装置。
【請求項１３】
前記スイッチは、
前記直線から、前記把持部に近接した側部の長手方向に１３０ｍｍまでの間に設けられていることを特徴とする請求項２ないし１２の何れか１項に記載の放射線撮影装置。
【請求項１４】
前記スイッチは、
スライド操作により動作するスライドスイッチであることを特徴とする請求項１ないし１３の何れか１項に記載の放射線撮影装置。
【請求項１５】
前記スライドスイッチのスライド操作の方向は、
ユーザが前記把持部を把持した状態で、把持した手の指の移動可能な方向であることを特徴とする請求項１４に記載の放射線撮影装置。
【請求項１６】
前記スイッチは、
静電容量方式であることを特徴とする請求項１ないし１５の何れか１項に記載の放射線撮影装置。
【発明の詳細な説明】
【技術分野】
【０００１】
本発明は、放射線撮影装置に関する。
【背景技術】
【０００２】
対象物を透過した放射線の強度分布を検出して放射線画像を得る放射線撮影装置が、工業用の非破壊検査や医療診断の場で広く一般に利用されている。このような撮影装置は、迅速かつ広範囲な部位の撮影を可能にするため、可搬性や操作性に配慮した撮影装置が開発されている。
【０００３】
特許文献１には、複数の開口を有した把持部を設け、その把持部の近傍にスイッチを設けた医用撮像システム向けの検出器が開示されている。
特許文献２には、撮影部を小型にするために開口ではなく、撮影部の放射線入射面の反対側に深い凹状の把持部が形成された放射線撮影装置が開示されている。
【先行技術文献】
【特許文献】
【０００４】
【特許文献１】特開２０１１−５０７３９号公報
【特許文献２】特開２０１７−６７５６４号公報
【発明の概要】
【発明が解決しようとする課題】
【０００５】
特許文献１のように、開口のある把持部を設ける場合には、開口を放射線撮影パネルの外側に位置させる必要があるために装置が大型化してしまう。一方、特許文献２のように、凹状の把持部にすることで装置を小型化しやすく、更には、把持した際の安定性も両立できるという利点がある。
【０００６】
ここで、特許文献２のような装置に、ユーザが操作するためのスイッチを設ける場合を想定する。特許文献２のような把持部が形成されている場合、把持部の深さや把持力が加わる場所に応じて、装置が自重で厚み方向に回転してしまうのを抑制するような把持力を維持する必要がある。この場合、把持部とスイッチとの位置によっては、装置を把持しながら片手でスイッチを操作することができない、もしくは、把持した手の向きが不自然になり、安定した取り回しとスイッチの操作性との両立が困難となってしまう。
【０００７】
本発明は、上述した問題点に鑑みてなされたものであり、安定した取り回しが可能でありながら、スイッチの操作性を向上させることを目的とする。
【課題を解決するための手段】
【０００８】
本発明は、放射線を検出する放射線検出パネルと、放射線検出パネルを収容する筐体と、ユーザにより操作可能なスイッチと、を有する放射線撮影装置であって、前記筐体は、放射線が入射する入射部と、前記入射部の反対側に位置すると共にユーザに把持される凹状の把持部が設けられる底部と、複数の側部とを有し、前記スイッチは、ユーザが前記把持部を把持した状態で、把持した手の指により操作できる範囲に設けられていることを特徴とする。
【発明の効果】
【０００９】
本発明によれば、安定した取り回しが可能でありながら、スイッチの操作性を向上させることができる。
【図面の簡単な説明】
【００１０】
【図１】第１の実施形態の放射線撮影装置を示す外観図である。
【図２】放射線撮影装置を示す断面図である。
【図３】放射線撮影装置を示す底面図である。
【図４】把持部を把持した状態を示す図である。
【図５】変形例としての放射線撮影装置を示す底面図である。
【図６】変形例としての放射線撮影装置を示す底面図である。
【図７】変形例としての放射線撮影装置を示す底面図である。
【図８】第２の実施形態の放射線撮影装置を示す外観図である。
【図９】放射線撮影装置を示す底面図である。
【図１０】第３の実施形態の放射線撮影装置を示す外観図である。
【図１１】変形例としての放射線撮影装置を示す平面図である。
【図１２】変形例としての放射線撮影装置を示す平面図である。
【図１３】変形例としての放射線撮影装置を示す外観図である。
【発明を実施するための形態】
【００１１】
本発明の実施形態について、添付の図面を参照して具体的に説明する。ただし、各実施形態に示す寸法や構造の詳細は、本文および図中に示す限りではない。また、以下で述べる放射線とは、Ｘ線に限られず、α線、β線、γ線、粒子線、宇宙線等も含まれるものとする。
【００１２】
＜第１の実施形態＞
図１から図４を用いて、第１の実施形態における放射線撮影装置１００について説明する。
図１（ａ）は、放射線の入射方向から見た（平面視における）放射線撮影装置１００の一例を示す外観図である。図１（ｂ）は、図１（ａ）の反対側から見た放射線撮影装置１００の一例を示す外観図である。図２は、図１（ｂ）におけるＩ−Ｉ線に沿って切断した断面を矢印方向から見た断面図である。図３は、放射線撮影装置１００の一例を示す底面図である。
【００１３】
放射線撮影装置１００は、放射線発生装置によって照射され、被写体を透過した放射線に応じた放射線画像を取得する。放射線撮影装置１００は、取得した放射線画像データを、外部装置に転送したり、外部の表示装置等に表示したりする。
【００１４】
放射線撮影装置１００は、放射線検出パネル１を有する。放射線検出パネル１は、入射した放射線を電気信号に変換する。放射線検出パネル１は、放射線の入射される側が検出面である。放射線検出パネル１は、ガラス基板上に複数の光電変換素子が二次元状に配置されたセンサ基板と、センサ基板上に配置された蛍光体層と、蛍光体層上に配置された蛍光体保護膜とを有する。蛍光体保護膜は、蛍光体層を保護する。蛍光体保護膜は、防湿性が比較的高い材料が用いられる。
【００１５】
放射線検出パネル１は、入射した放射線によって蛍光体層が発光し、当該発光した光をセンサ基板上に配置された光電変換素子が電気信号に変換する。また、放射線検出パネル１は、光電変換素子（センサ）の一部、もしくは全てを有効撮影領域とする。有効撮影領域は、放射線撮影が可能で実際に画像が生成される領域である。なお、放射線検出パネル１は、上述した構成に限られず、蛍光体層が複数あってもよく、蛍光体層と光電変換素子の代わりに放射線を直接、電気信号に変換する直接変換型の変換素子を用いてもよい。また、放射線検出パネル１のセンサ基板の材質は、ガラスに限られない。
【００１６】
放射線撮影装置１００は、制御基板２を有する。制御基板２は、放射線検出パネル１によって変換された電気信号を読み出し、読み出した電気信号を処理する。制御基板２は、当該電気信号をデジタル信号に変換し放射線画像データを取得する。制御基板２は、フレキシブル回路基板３を介して放射線検出パネル１と電気的に接続される。
【００１７】
放射線撮影装置１００は、図示しない二次電池を有する。二次電池は、放射線検出パネル１および制御基板２の動作に用いる電力を供給する。二次電池は、例えば、リチウムイオン電池、電気二重層コンデンサ、全固体電池等が用いられる。
【００１８】
放射線撮影装置１００は、支持基台４を有する。支持基台４は、放射線撮影装置１００の構成部品を支持する。具体的に、支持基台４は、放射線の入射面側に放射線検出パネル１を支持し、その対向する側に制御基板２および二次電池等を支持する。
放射線撮影装置１００は、放射線検出パネル１と筐体６との間に放射線検出パネル１を外力から保護する緩衝材５を有する。
【００１９】
筐体６は、放射線撮影装置１００の構成部品を収容する。
筐体６は、略直方体であって、平面視において長辺と短辺とを有する略矩形状である。筐体６は、放射線が入射する入射部６１と、放射線検出パネル１を挟んで入射部６１の反対側に位置する底部６２と、入射部６１と底部６２とを接続する複数（ここでは４つ）の側部６３を有する。
【００２０】
入射部６１は、放射線を入射させる。入射部６１は、外部に露出する表面が略平らな略板状である。入射部６１は、放射線を入射させるため、放射線の透過率が比較的高いことが好ましい。更に、入射部６１は、重量が軽く、かつ衝撃に対して一定の強度を確保できることが好ましい。入射部６１は、例えば、樹脂材料やＣＦＲＰ（炭素繊維強化プラスチック）等が用いられる。
入射部６１の表面には、有効撮影領域の中心部や有効撮影領域の範囲を示すための指標６１１が表記される（図１（ａ）を参照）。指標６１１は塗装あるいは印刷処理等によって形成される。ユーザは、指標６１１を視認することで、有効撮影領域の中心部や有効撮影領域を容易に認識することができる。なお、指標６１１は、ユーザが有効撮影領域の中心部や有効撮影領域の範囲を認識できればよく、例えば、放射線検出パネル１の方向に窪んだ段差等であってもよい。
【００２１】
底部６２は、入射部６１の反対側から放射線撮影装置１００の構成部品を覆う。底部６２は、外部に露出する表面（外側面）が略平らな略板状である。底部６２は、入射部６１に対して略平行である。
側部６３は、側方から放射線撮影装置１００の構成部品を覆う。側部６３は、外部に露出する表面（外側面）が平らであったり、湾曲したり、傾斜したりする略板状である。側部６３は、入射部６１および底部６２に対して連続している。
底部６２および側部６３は、落下や衝撃等に対する強度、運搬時の負担軽減を目的とした軽量化、および、操作性の高さが確保されていることが好ましい。底部６２および側部６３は、例えば、マグネシウムやアルミニウム等の金属合金、ＣＦＲＰや繊維強化樹脂等が用いられる。また、底部６２および側部６３は、筐体６の外部から受ける電気的なノイズを効果的に低減するためにＳＵＳ４３０等の透磁率が比較的高い材料を用いてもよい。
【００２２】
底部６２には、ユーザに把持される凹状の把持部７が設けられる。把持部７は、底部６２の表面から放射線検出パネル１に向かって窪んで形成される。把持部７は、開口していないことで、放射線撮影装置１００の大型化を抑制しながら、ユーザによる円滑な取り回しが可能である。
本実施形態の底部６２は、側部６３にそれぞれ近接する４つの把持部７ａ〜７ｄを有する。把持部７ａ、７ｂが筐体６の長辺に相当する側部６３に近接し、把持部７ｃ、７ｄが筐体の短辺に相当する側部６３に近接する。図３に示すように、底面視において、把持部７ａ〜７ｄは、それぞれ近接する側部６３の長手方向に沿って長い略矩形状である。把持部７ａ、７ｂの長さは、把持部７ｃ、７ｄの長さに比べて短い。把持部７ａ〜７ｄの長さとは、把持部７ａ〜７ｄのそれぞれ近接する側部６３の長手方向と平行な方向の把持部７ａ〜７ｄの距離をいうものとする。一方、把持部７ａ〜７ｄの幅とは、把持部７ａ〜７ｄの長さと直交する方向の把持部７ａ〜７ｄの距離をいうものとする。なお、把持部７ａ〜７ｄは、略矩形状である場合に限られず、略長円状、略楕円形状であってもよく、指の形状に合せて略波状であってもよい。
【００２３】
把持部７ａ、７ｂは、底面視において、放射線撮影装置１００の重心Ｇを通り、近接する側部６３に対して直交する直線Ａ−Ａと重なり合う位置に設けられる。また、把持部７ｃ、７ｄは、底面視において、放射線撮影装置１００の重心Ｇを通り、近接する側部６３に対して直交する直線Ｂ−Ｂと重なり合う位置に設けられる。なお、本実施形態を始めとして他の実施形態でも底面視あるいは平面視において、重心Ｇと筐体６の外形中心とが一致しているものとして説明する。ただし、重心Ｇと筐体６の外形中心とが一致している場合に限られず、異なっていてもよい。
ここで、放射線撮影装置１００を安定して把持できるように、把持部７ａ〜７ｄは近接した側部６３からの距離Ｄｈとして６０ｍｍ以内に設けられている。
【００２４】
放射線撮影装置１００は、ユーザにより操作可能なスイッチ１０を有する。スイッチ１０は、放射線撮影装置１００を制御するためのものである。スイッチ１０は、例えば、放射線撮影装置１００を起動するためのスイッチ（電源オン／オフのスイッチ）、放射線撮影装置１００の状態を遷移させるためのスイッチ等である。
【００２５】
上述したような凹状の把持部７の場合、多くの状況で、放射線撮影装置１００が自重によるモーメントで筐体６の厚み方向に回転することを抑制するために、ユーザは放射線撮影装置１００に対して把持力を維持する必要がある。そのため、ユーザが、放射線撮影装置１００を把持しながらスイッチ１０を操作するには、把持しない手で操作するか、把持した手で把持力を維持しながら操作する必要性がある。円滑な撮影を行うには、把持とスイッチ操作の両方を片手でできることが好ましい。しかし、放射線撮影装置１００は被写体を撮影するために手に収まる大きさではない。そのため、把持部７の位置とそれに対するスイッチ１０の位置を適切に選択しなければ、片手での円滑な一連の動作の実現が困難となる。
【００２６】
本実施形態では、放射線撮影装置１００の安定した取り回しと、スイッチ１０の操作性を向上させるために、スイッチ１０は底部６２であって、ユーザが把持部７を把持した状態で、把持した手の指により操作できる範囲に設ける。
具体的に、スイッチ１０を設ける位置について図３を参照して説明する。
本実施形態の放射線撮影装置１００は、複数のスイッチ１０ａ〜１０ｄを有する。
スイッチ１０ａ〜１０ｄのうち、スイッチ１０ａ、１０ｂが把持部７ａに近接して配置され、スイッチ１０ｃ、１０ｄが把持部７ｂに近接して配置される。ここでは、スイッチ１０ａ、１０ｂと、スイッチ１０ｃ、１０ｄとは、直線Ｂ−Ｂに対して略対称に配置される。
【００２７】
以下では、スイッチ１０ａ、１０ｂを中心に説明する。
スイッチ１０ａ、１０ｂは、把持部７ａから放射線撮影装置１００の重心Ｇ側に偏って配置される。本実施形態では、スイッチ１０ａ、１０ｂは、近接した側部６３からの把持部７ａ〜７ｄの距離Ｄｈよりも大きく、近接した側部６３からの距離Ｄｓとして略６０ｍｍ〜１１０ｍｍ以内に配置される。
また、スイッチ１０ａ、１０ｂは、直線Ａ−Ａからの距離Ｓとして略１３０ｍｍ以内に位置している。また、スイッチ１０ａ、１０ｂは、把持部７ａの外形線を重心Ｇに向かって仮想的に移動させたときの移動軌跡Ｌｇの範囲内に位置している。
【００２８】
図４は、ユーザが把持部７ａを把持しながら、人差し指等でスイッチ１０ａを操作している状態の一例を示す図である。ユーザは把持部７ａのうち直線Ａ−Ａの近傍を把持しながら、スイッチ１０ａを操作する。このように、ユーザが直線Ａ−Ａの近傍を把持するのは、放射線撮影装置１００が検出面に沿った方向に回転するのを抑制させるためである。ユーザが把持部７ａを把持する動作は、放射線撮影装置１００の厚み方向の回転を抑制し、その動作を維持しながらスイッチ１０ａを操作することができることから、安定した取り回しと片手でのスイッチ１０ａの操作を両立させることができる。
【００２９】
また、スイッチ１０ａとスイッチ１０ｂとは、直線Ａ−Ａに対して略対称に配置される。したがって、図４に示すように右手で把持した場合だけでなく、左手で把持した場合であってもスイッチ１０ｂを操作しやすく、ユーザの利き手や操作時の状況に限定されずに操作が可能である。
スイッチ１０ａ、１０ｂの表層には凹凸やエンボス加工等を施し、指の触覚にてスイッチを認識しやすいようにしてもよい。これらの実施形態により、把持する手の左右に関係せず、片手での把持動作とスイッチの操作が可能になる。
【００３０】
なお、ここでは、スイッチ１０ａ、１０ｂについて説明したが、スイッチ１０ｃ、１０ｄについても直線Ｂ−Ｂに対して略対称な位置であり、スイッチ１０ａ、１０ｂと同様に片手での把持動作とスイッチの操作が可能である。
また、把持部７ｃ、７ｄに近接してスイッチを配置してもよい。この場合には、複数のスイッチを直線Ｂ−Ｂに対して略対称の位置に配置することができる。
また、図３に示すように、直線Ｂ−Ｂ（あるいは直線Ａ―Ａ）に対して対称な位置に配置されているスイッチを少なくとも２つ同時に操作しないと、状態が遷移できないように構成してもよい。このように構成することでユーザの意図しない遷移を抑制することができる。
【００３１】
本実施形態によれば、スイッチ１０ａ〜１０ｄが底部６２であって、把持部７ａ、７ｂから重心側に偏った位置に設けられる。したがって、ユーザは把持部７ａ、７ｂを把持した状態で、把持した手のうち、例えば人差し指により、スイッチ１０ａ〜１０ｄを操作できることから片手での把持動作とスイッチの操作が可能である。
【００３２】
（第１変形例）
次に、第１変形例の放射線撮影装置２００について図５を参照して説明する。図５は、放射線撮影装置２００の一例を示す底面図である。なお、放射線撮影装置１００と同様の構成は、同一符号を付して適宜、説明を省略する。
放射線撮影装置２００は、複数のスイッチ１１ａ、１１ｂを有する。
スイッチ１１ａは把持部７ｃに近接して配置され、スイッチ１１ｂは把持部７ｄに近接して配置される。ここでは、一つの把持部７に近接して一つのスイッチ１１が配置される。また、スイッチ１１ａと、スイッチ１１ｂとは重心Ｇに対して略点対称な位置に配置される。なお、スイッチの数や配置する位置は適宜、選択することができる。
【００３３】
（第２変形例）
次に、第２変形例の放射線撮影装置３００について図６を参照して説明する。図６は、放射線撮影装置３００の一例を示す底面図である。なお、放射線撮影装置１００と同様の構成は、同一符号を付して適宜、説明を省略する。
放射線撮影装置３００は、複数のスイッチ１２ａ、１２ｂを有する。
スイッチ１２ａは把持部７ａに近接して配置され、スイッチ１２ｂは把持部７ｂに近接して配置される。ここでは、スイッチ１２ａ、１２ｂがそれぞれ直線Ａ−Ａをまたぐように、すなわち直線Ａ−Ａと交差するように配置される。換言すると、スイッチ１２ａ、１２ｂは直線Ａ−Ａと重なり合うように配置される。また、スイッチ１２ａ、１２ｂは、近接する側部６３の長手方向に沿った長い形状である。このように、スイッチ１２ａ、１２ｂを直線Ａ−Ａと交差するように配置することで、左右の何れかの手で把持部７を把持した場合であってもスイッチ１２を操作することができる。また、スイッチ１２を一つで構成できるので部品点数を削減することができる。
【００３４】
（第３変形例）
次に、第３変形例の放射線撮影装置４００について図７を参照して説明する。図７は、放射線撮影装置４００の一例を示す底面図である。なお、放射線撮影装置１００と同様の構成は、同一符号を付して適宜、説明を省略する。
放射線撮影装置４００は、複数のスイッチ１３ａ、１３ｂを有する。
スイッチ１３ａ、１３ｂは、把持部７ａから近接する側部６３の長手方向に偏って位置している。また、スイッチ１３ａ、１３ｂは、把持部７ａの外形線を、近接する側部６３の長手方向に向かって仮想的に移動させたときに移動軌跡Ｌｅの範囲内に位置している。したがって、ユーザは把持部７ａを把持した状態で、把持した手のうち、例えば親指により、スイッチ１３ａ、１３ｂを操作できることから片手での把持動作とスイッチの操作が可能である。
【００３５】
また、スイッチ１３ａ、１３ｂは、把持部７ａの長手方向と平行に長いスライドスイッチが用いられる。スイッチ１３ａ、１３ｂをそれぞれスライド操作できる方向は、把持部７ａの長手方向と平行な方向である。この方向は、把持した手の指が移動可能な方向と一致する方向である。具体的には、ユーザが把持部７ａを把持した状態で、例えば親指を底部６２の表面に沿って移動させる場合、把持部７ａの長手方向と平行な方向が負荷なく自然に移動できる。したがって、スイッチ１３ａ、１３ｂのスライド操作の方向と、把持した手の指が移動可能な方向とを一致させることで片手での把持動作とスイッチの操作が可能である。
【００３６】
また、スイッチ１３ａ、１３ｂには、機械的なスイッチに限られず、静電容量方式のスイッチを用いることができる。静電容量方式のスイッチでは、ユーザがスイッチに接触することで電気的な静電容量の変化を検知する。静電容量方式のスイッチは、ユーザが把持力以外の力を負荷させる必要が少ないため、ユーザがスイッチを操作するときの負担を軽減することができる。
なお、スイッチ１３ａ、１３ｂは、把持部７ａの長手方向と平行な方向にスライドできる場合に限られない。すなわち、ユーザが把持部７ａを把持した状態で負荷なく自然に移動できる方向であれば、スイッチ１３ａ、１３ｂは把持部７ａあるいは近接する側部６３に対して斜めの方向にスライド可能であってもよい。
【００３７】
以上のように、本実施形態および変形例によれば、スイッチは把持部から重心側に偏った位置、あるいは把持部から近接した側部の長手方向に偏った位置に設けられる。したがって、ユーザは把持力を維持しながら、ストレスも少なくスイッチの操作性を向上させることができる。
なお、上述した実施形態および変形例に限られず、スイッチは把持部の内部に設けてもよい。
【００３８】
＜第２の実施形態＞
図８から図９を用いて、第２の実施形態における放射線撮影装置５００について説明する。
図８（ａ）は、放射線の入射方向から見た放射線撮影装置５００の一例を示す外観図である。図８（ｂ）は、図８（ａ）の反対側から見た放射線撮影装置５００の一例を示す外観図である。図９は、放射線撮影装置５００の一例を示す底面図である。なお、第１の実施形態と同様の構成は、同一符号を付して適宜、説明を省略する。
【００３９】
本実施形態の底部６２は、側部６３にそれぞれ近接する４つの把持部７ａ、７ｂ、７ｅ、７ｆを有する。ここで、把持部７ａ、７ｂは第１の実施形態と同様である。一方、把持部７ｅ、７ｆは、長さが第１の実施形態の把持部７ｃ、７ｄと比べて短い。
【００４０】
本実施形態の放射線撮影装置５００は、複数のスイッチ１４ａ〜１４ｄと、状態表示部１５とを有する。
スイッチ１４ａ〜１４ｄは、ユーザが把持部７ａ、７ｂを把持した状態で、把持した手の指により操作できる範囲に設けられる。
スイッチ１４ａ〜１４ｄのうち、スイッチ１４ａ、１４ｂが把持部７ａに近接する側部６３に配置され、スイッチ１４ｃ、１４ｄが把持部７ｂに近接する側部６３に配置される。このように、スイッチ１４ａ〜１４ｄは、複数の側部６３のうち対向する側部６３のそれぞれに設けられる。ここでは、スイッチ１４ａ、１４ｂと、スイッチ１４ｃ、１４ｄとは、直線Ｂ−Ｂに対して略対称に配置される。
【００４１】
以下では、スイッチ１４ａ、１４ｂを中心に説明する。
スイッチ１４ａ、１４ｂは、直線Ａ−Ａからの距離Ｓとして略３０ｍｍから９０ｍｍ以内に位置している。また、スイッチ１４ａ、１４ｂは、把持部７ａの外形線を重心Ｇの反対側に向かって仮想的に移動させたときの移動軌跡Ｌｏの範囲外に位置している。この位置は、ユーザが把持部７ａを把持したときに把持した手によってスイッチ１４ａ、１４ｂが隠れることがない位置である。したがって、ユーザは把持部７ａを把持した状態で、把持した手のうち、例えば親指により、スイッチ１４ａ、１４ｂを操作できることから片手での把持動作とスイッチの操作が可能である。
【００４２】
状態表示部１５は、スイッチ１４ａ、１４ｂが配置される側部６３に設けられる。状態表示部１５は、放射線撮影装置５００の状態を必要に応じて表示する。状態表示部１５には、ＬＥＤやディスプレイ（液晶ディスプレイ、有機ＥＬディスプレイ）等を用いることができる。
【００４３】
本実施形態によれば、スイッチ１４ａ〜１４ｄを側部６３に設けることで、放射線撮影装置５００がテーブルに置かれたり、撮影用の架台等に設置されたりした場合であっても、スイッチ１４ａ〜１４ｄの操作が可能である。また、スイッチ１４ａ、１４ｂと、スイッチ１４ｃ、１４ｄとは、対向する側部６３にそれぞれ設けられることから、ユーザは放射線撮影装置５００の向きを気にすることなく架台等に設置することができる。
【００４４】
また、本実施形態によれば、状態表示部１５が側部６３に設けられる。このように、状態表示部１５を側部６３に設けることで、放射線撮影装置５００がテーブルに置かれたり、撮影用の架台等に設置されたりした場合であっても、ユーザは状態表示部１５を確認することができる。
【００４５】
＜第３の実施形態＞
図１０から図１３を用いて、第３の実施形態における放射線撮影装置６００について説明する。
図１０（ａ）は、放射線の入射方向から見た放射線撮影装置６００の一例を示す外観図である。図１０（ｂ）は、図１０（ａ）の反対側から見た放射線撮影装置６００の一例を示す外観図である。図１０（ｃ）は、図１０（ａ）に示す矢印Ｃ方向から見た放射線撮影装置６００の一例を示す側面図である。図１１は、放射線撮影装置６００の一例を示す平面図である。なお、第２の実施形態と同様の構成は、同一符号を付して適宜、説明を省略する。
【００４６】
本実施形態の放射線撮影装置６００は、側部６３に傾斜部６４を有する。傾斜部６４は、側部６３のうち入射部６１側に位置し、入射部６１に対して連続する。傾斜部６４は、入射部６１の表面に対して傾斜し、外部に露出する表面（外側面）が略平らな略板状である。したがって、傾斜部６４は底面視では視認できないが、図１１に示すように平面視では視認することができる。
【００４７】
本実施形態の放射線撮影装置６００は、複数のスイッチ１６ａ、１６ｂを有する。
スイッチ１６ａ、１６ｂは、ユーザが把持部７ｂを把持した状態で、把持した手の指により操作できる範囲に設けられる。
スイッチ１６ａ、１６ｂは、把持部７ｂに近接する側部６３の傾斜部６４に配置される。また、平面視において、スイッチ１６ａ、１６ｂは、放射線検出パネル１の有効撮影領域と重ならないように配置される。したがって、放射線画像にスイッチ１６ａ、１６ｂが写ってしまうことを防止する。
また、スイッチ１６ａとスイッチ１６ｂとは、直線Ａ−Ａに対して略対称に配置される。したがって、左右の何れの手で把持した場合であってもスイッチ１６ａ、１６ｂを操作しやすく、ユーザの利き手や操作時の状況に限定されずに操作が可能である。
【００４８】
本実施形態によれば、スイッチ１６ａ、１６ｂを傾斜部６４に設けることで、放射線撮影装置６００がテーブルに置かれたり、撮影用の架台等に設置されたりした場合であっても、スイッチ１６ａ、１６ｂの操作が可能である。また、把持部７ｂを把持した手の平がスイッチ１６ａ、１６ｂを意図せずに操作してしまうリスクを低減することができる。更には、放射線撮影装置６００により撮影する場合に患者等が入射部６１に触れたときにスイッチ１６ａ、１６ｂを意図せずに操作してしまうリスクを低減することができる。
なお、傾斜部６４は、一つの側部６３に限られず、対向する側部６３、３つの側部６３または全ての側部６３に有していてもよい。この場合、スイッチ１６ａ、１６ｂは、対向する側部６３の傾斜部６４にそれぞれ配置してもよく、３つの側部６３の傾斜部６４にそれぞれ配置してもよく、全ての側部６３の傾斜部６４にそれぞれ配置してもよい。
【００４９】
（第４変形例）
次に、第４変形例の放射線撮影装置７００について図１２を参照して説明する。図１２は、放射線撮影装置７００の一例を示す平面図である。なお、放射線撮影装置６００と同様の構成は、同一符号を付して適宜、説明を省略する。
放射線撮影装置７００は、スイッチ１７を有する。
スイッチ１７は、把持部７ｂに近接する側部６３の傾斜部６４に配置される。ここでは、スイッチ１７が直線Ａ−Ａをまたぐように、すなわち直線Ａ−Ａと交差するように配置される。換言すると、スイッチ１７は直線Ａ−Ａと重なり合うように配置される。また、スイッチ１７は、近接する側部６３の長手方向に沿った長い形状である。このように、スイッチ１７を直線Ａ−Ａと交差するように配置することで、左右の何れかの手で把持部７ｂを把持した場合であってもスイッチ１７を操作することができる。また、スイッチ１７を一つで構成できるので部品点数を削減することができる。
【００５０】
（第５変形例）
次に、第５変形例の放射線撮影装置８００について図１３を参照して説明する。図１３（ａ）は、放射線の入射方向から見た放射線撮影装置８００の一例を示す外観図である。図１３（ｂ）は、図１３（ａ）の反対側から見た放射線撮影装置８００の一例を示す外観図である。なお、放射線撮影装置６００と同様の構成は、同一符号を付して適宜、説明を省略する。
本実施形態の放射線撮影装置８００は、側部６３の一部に傾斜部６５を有する。ここでは、一つの側部６３に対して複数の傾斜部６５を有する。
本実施形態の放射線撮影装置８００は、複数のスイッチ１８ａ、１８ｂを有する。
スイッチ１８ａ、１８ｂは、把持部７ｂに近接する側部６３の傾斜部６５のそれぞれに配置される。このように広い傾斜部６５を形成できない場合であっても、側部６３の一部に形成した傾斜部６５にスイッチ１８ａ、１８ｂを配置することができる。
【００５１】
以上のように、本実施形態および変形例によれば、スイッチを側部の傾斜部に設けることによって、意図せずに操作してしまうリスクを低減することができる。また、放射線撮影装置がテーブルに置かれたり、撮影用の架台等に設置されたりした場合であっても、スイッチの操作が可能である。
【００５２】
以上、本発明を実施形態に基づいて詳述したが、本発明は上述した実施形態に限られず、この発明の要旨を逸脱しない範囲の様々な形態も本発明の範疇に含まれる。更に、上述した各実施形態は本発明の一実施形態を示すものにすぎず、各実施形態および各実施形態の変形例を適宜組み合わせることも可能である。
【００５３】
上述した実施形態および変形例では、複数のスイッチが重心Ｇを通る直線Ａ−Ａ、直線Ｂ−Ｂに略対称に配置される場合について説明したが、外形中心を通り、近接する側部６３に対して直交する直線と略対称に配置されていてもよい。
【符号の説明】
【００５４】
１：放射線検出パネル  ７：筐体  ６１：入射部  ６２：底部  ６３：側部  ６４、６５：傾斜部  ７（７ａ〜７ｆ）：把持部  １０（１０ａ〜１０ｄ）：スイッチ  １１（１１ａ、１１ｂ）：スイッチ  １２（１２ａ、１２ｂ）：スイッチ  １３（１３ａ、１３ｂ）：スイッチ  １４（１４ａ〜１４ｄ）：スイッチ  １６（１６ａ、１６ｂ）：スイッチ  １７：スイッチ  １８ａ、１８ｂ：スイッチ  １００〜８００：放射線撮影装置
【図１】
2020169922.tif 000003
【図２】
2020169922.tif 000004
【図３】
2020169922.tif 000005
【図４】
2020169922.tif 000006
【図５】
2020169922.tif 000007
【図６】
2020169922.tif 000008
【図７】
2020169922.tif 000009
【図８】
2020169922.tif 000010
【図９】
2020169922.tif 000011
【図１０】
2020169922.tif 000012
【図１１】
2020169922.tif 000013
【図１２】
2020169922.tif 000014
【図１３】
2020169922.tif 000015